(57)【特許請求の範囲】
【請求項１】
差し替えデータは、記録媒体をグループ単位で識別するための固有の情報として使用され、
コンテンツデータと被差し替えデータとがファイルシステムによって管理されたデータ構造のマスターデータについて、上記ファイルシステムから上記被差し替えデータを確認し、また上記差し替えデータを用意する前処理工程と、
上記被差し替えデータが上記差し替えデータに差し替えられたマスターデータに基づいて記録媒体原盤の露光を行う露光工程と、
上記露光が行われた記録媒体原盤に対して現像を行い露光に応じた凹凸パターンが形成された記録媒体原盤を形成する現像工程と、
を備えた原盤製造方法。
【請求項２】
上記露光工程では、上記被差し替えデータが含まれるマスターデータと、上記差し替えデータとが供給され、上記マスターデータを変調処理して得られる変調信号に基づいたレーザ光照射で露光を行うとともに、上記変調処理に供するマスターデータにおける上記被差し替えデータを上記差し替えデータに差し替える処理が行われる請求項１に記載の原盤製造方法。
【請求項３】
上記前処理工程では、上記被差し替えデータを上記差し替えデータに差し替えたマスターデータを生成し、
上記露光工程では、上記差し替えが行われたマスターデータを変調処理して得られる変調信号に基づいたレーザ照射で露光を行う請求項１に記載の原盤製造方法。
【請求項４】
上記前処理工程に供するマスターデータを生成する工程として、上記コンテンツデータと上記被差し替えデータとがファイルシステムによって管理されたデータ構造のマスターデータを生成するオーサリング工程を、さらに備えた請求項１に記載の原盤製造方法。
【請求項５】
上記オーサリング工程では、上記被差し替えデータが特定のフォルダ内又はファイル内に配置されるデータとして上記ファイルシステムに管理されるデータ構造のマスターデータを生成する請求項４に記載の原盤製造方法。
【請求項６】
差し替えデータは、記録媒体をグループ単位で識別するための固有の情報として使用され、
コンテンツデータと被差し替えデータとがファイルシステムによって管理されたデータ構造のマスターデータについて、上記ファイルシステムから上記被差し替えデータを確認し、また製造される記録媒体のグループ単位で異なる複数の上記差し替えデータを用意する前処理工程と、
上記被差し替えデータが、製造する記録媒体のグループに応じて選択された上記差し替えデータに差し替えられたマスターデータに基づいて記録媒体原盤の露光を行う露光工程と、
上記露光が行われた記録媒体原盤に対して現像を行い露光に応じた凹凸パターンが形成された記録媒体原盤を形成する現像工程と、
上記現像工程で形成された記録媒体原盤を用いてスタンパを作成するスタンパ作成工程と、
上記スタンパを用いて記録媒体基板を作成し、該記録媒体基板上に記録層を含む層構造を形成することで記録媒体を作成する媒体作成工程と、
を備えた記録媒体製造方法。
【請求項７】
差し替えデータは、記録媒体をグループ単位で識別するための固有の情報として使用され、
記録媒体原盤の製造に用いるマスターデータとして、コンテンツデータと被差し替えデータとがファイルシステムによって管理されたデータ構造のマスターデータについて、上記ファイルシステムから上記被差し替えデータを確認するステップと、
上記被差し替えデータに代える上記差し替えデータを用意するステップと、
を情報処理装置に実行させるプログラム。
【請求項８】
さらに、上記被差し替えデータを上記差し替えデータに差し替えたマスターデータを生成するステップを情報処理装置に実行させる請求項７に記載のプログラム。
【請求項９】
差し替えデータは、記録媒体をグループ単位で識別するための固有の情報として使用され、
被差し替えデータが含まれるマスターデータと、上記差し替えデータとが供給されて、記録媒体原盤の露光を行う露光装置の制御部の処理を実行させるプログラムとして、
上記マスターデータを変調処理して得られる変調信号に基づいたレーザ光照射で露光を行うとともに、上記変調処理に供するマスターデータにおける上記被差し替えデータを上記差し替えデータに差し替える処理を実行させる制御を、上記制御部に実行させるプログラム。
【請求項１０】
差し替えデータは、記録媒体をグループ単位で識別するための固有の情報として使用され、
ファイルシステムにより管理されたデータ構造を有する記録媒体であって、
コンテンツデータと、特定のフォルダ内又はファイル内のデータ位置に配置された上記差し替えデータとが記録され、
上記差し替えデータは、上記データ構造における、当該記録媒体の製造時において被差し替え用データが配置された上記データ位置に記録される記録媒体。
【請求項１１】
上記差し替えデータは、製造される記録媒体のグループに応じて選択された固有の情報である請求項１０に記載の記録媒体。
【発明の詳細な説明】
【技術分野】
【０００１】
本発明は、光ディスク等の製造に適用できる原盤製造方法、記録媒体製造方法、プログラム、及び光ディスク等の記録媒体に関する。
【先行技術文献】
【特許文献】
【０００２】
【特許文献１】特開平２−５６７５０号公報
【特許文献２】特開平１０−２８９４８６号公報
【背景技術】
【０００３】
光ディスクとしてＢＤ（ブルーレイディスク：Blu-ray Disc（登録商標））、ＤＶＤ（Digital Versatile Disc）、ＣＤ（Compact Disc）等が知られている。
これらのＢＤ、ＤＶＤ、ＣＤの各範疇では、再生専用型の光ディスクとして、ＢＤ−ＲＯＭ（Blu-ray Disc- Read Only Memory）、ＤＶＤ−ＲＯＭ（Digital Versatile Disc - Read Only Memory）、ＣＤ−ＲＯＭ（Compact Disc - Read Only Memory）がある。
【０００４】
これら再生専用ディスクは、例えばエンボスピット等の物理的に書き換えのできないデータとして、音楽や映像のコンテンツデータが記録される。再生専用ディスクの製造は、まずオーサリングとしてコンテンツデータを含むマスターデータが用意される。そして実際の工場でのマスタリング工程において、コンテンツデータや管理情報を含むマスターデータに基づいた凹凸ピット列が形成されたディスク原盤を作成し、さらにディスク原盤やスタンパを作成する。そしてスタンパを用いて光ディスクを大量生産する。
このように再生専用ディスクは、同一タイトル（同一のコンテンツのディスク）として、全て同じデータが記録されたものが大量生産される。
【０００５】
一方、上記特許文献１，２に示されるように、同じデータが記録された状態で大量生産される再生専用ディスクにおいて、ディスク毎にユニークな情報を付与する手法が既に知られている。
代表的なものとしてＢＣＡ（Burst Cutting Area）を用いる手法がある。
例えばＢＤやＤＶＤ等の光ディスクでは、ディスク内周側の所定領域に、バーコード状の記録領域としてＢＣＡを設けている。
このＢＣＡは、反射率の異なる領域として放射状のパターンが形成されることで、トラッキングフリーで情報を読み出せる領域とされる。そして特に、大量生産される光ディスクに、ディスク固有の情報、例えばシリアルナンバ等の情報を付加できる領域として用いられている。
即ちＢＣＡは、光ディスクがその製造工程により完成した後、信号領域のさらなる内周（例えば半径２１〜２２ｍｍの領域）に、ディスク一枚ごとにシリアルナンバーやディスクインフォメーションなどを、ＢＣＡ記録装置によってオフラインで書き込み、一枚ごとの管理ができるようにしている。
【発明の概要】
【発明が解決しようとする課題】
【０００６】
ところで、再生専用ディスクについて、製造されるグループ単位で固有の情報を付与したいという要望がある。
ここで「グループ」というのは、或る程度まとまった数のディスク群のことをいう。例えば販売仕向地別のグループ、販売者（ディスク製造工場からみれば出荷先）毎のグループ、製造ライン毎のグループ、用途別（レンタル用・販売用等）のグループなどである。
【０００７】
しかし、このようなグループ毎に固有の情報を付加した光ディスクを製造しようとする場合、マスタリング毎に異なる情報を記録する必要がある。通常、グループ毎のディスク製造として、マスタリング毎に異なる情報を記録する方法としては、差し替えるデータの大小に関わらずオーサリングからやり直しマスターデータを作成しなおす方法が一般的である。
すると結局、同じタイトルのディスクでありながら、グループ毎のディスクを製造することは、異なるタイトルの光ディスクを製造するのと同等の手間がかかることとなり、製造効率は悪い。
【０００８】
このようなことから、ＢＣＡを利用してグループ単位の情報を付加することも考えられる。しかしながらＢＣＡは本来、ディスク固有の情報を付加するために用いられるものであるため、グループ単位の情報の記録のための利用には適さない場合がある。
また、ＢＣＡには対応できない再生装置の存在もある。
【０００９】
そこで本発明では、ＢＣＡ等、特殊なエリアを用いず、再生専用型の記録媒体の通常の再生専用データとして、グループ単位の情報付加を効率よく実行できる製造方法、プログラム、及び好適な記録媒体を実現することを目的とする。
【課題を解決するための手段】
【００１０】
本発明の原盤製造方法は、差し替えデータは、記録媒体をグループ単位で識別するための固有の情報として使用され、コンテンツデータと被差し替えデータとがファイルシステムによって管理されたデータ構造のマスターデータについて、上記ファイルシステムから上記被差し替えデータを確認し、また上記差し替えデータを用意する前処理工程と、上記被差し替えデータが上記差し替えデータに差し替えられたマスターデータに基づいて記録媒体原盤の露光を行う露光工程と、上記露光が行われた記録媒体原盤に対して現像を行い露光に応じた凹凸パターンが形成された記録媒体原盤を形成する現像工程とを備える。
この原盤製造方法では、オーサリング段階で作成されたマスターデータの段階において、ファイルシステムによってコンテンツデータと被差し替えデータとが管理されるデータ構造とされていることで、原盤露光の段階でその被差し替えデータを差し替えデータに差し替えることが可能となる。つまりオーサリングのやり直しをせずに、一部のデータが異なる再生専用の記録媒体のための原盤を製造できる。
【００１１】
本発明の記録媒体製造方法は、差し替えデータは、記録媒体をグループ単位で識別するための固有の情報として使用され、コンテンツデータと被差し替えデータとがファイルシステムによって管理されたデータ構造のマスターデータについて、上記ファイルシステムから上記被差し替えデータを確認し、また製造される記録媒体のグループ単位で異なる複数の上記差し替えデータを用意する前処理工程と、上記被差し替えデータが、製造する記録媒体のグループに応じて選択された上記差し替えデータに差し替えられたマスターデータに基づいて記録媒体原盤の露光を行う露光工程と、上記露光が行われた記録媒体原盤に対して現像を行い露光に応じた凹凸パターンが形成された記録媒体原盤を形成する現像工程と、上記現像工程で形成された記録媒体原盤を用いてスタンパを作成するスタンパ作成工程と、上記スタンパを用いて記録媒体基板を作成し、該記録媒体基板上に記録層を含む層構造を形成することで記録媒体を作成する媒体作成工程とを備える。
この記録媒体製造方法では、オーサリング段階で作成されたマスターデータでは、ファイルシステムによってコンテンツデータと被差し替えデータとが管理されるデータ構造とされている。そこでグループ毎の差し替えデータを用意し、各グループの記録媒体についての原盤露光の段階で、そのマスターデータの被差し替えデータを、該当するグループの差し替えデータに差し替えることができる。つまり各グループの記録媒体の製造毎にオーサリング段階からやり直さなくともよい。
【００１２】
本発明のプログラムは、差し替えデータは、記録媒体をグループ単位で識別するための固有の情報として使用され、記録媒体原盤の製造に用いるマスターデータとして、コンテンツデータと被差し替えデータとがファイルシステムによって管理されたデータ構造のマスターデータについて、上記ファイルシステムから上記被差し替えデータを確認するステップと、上記被差し替えデータに代える上記差し替えデータを用意するステップとを情報処理装置に実行させる。
このプログラムにより、露光工程前の前処理工程（プリマスタリング）においてグループ単位のデータなどである、差し替えデータへの差し替えの用意が可能となる。
【００１３】
本発明のプログラムは、差し替えデータは、記録媒体をグループ単位で識別するための固有の情報として使用され、被差し替えデータが含まれるマスターデータと、上記差し替えデータとが供給されて、記録媒体原盤の露光を行う露光装置の制御部の処理を実行させるプログラムとして、上記マスターデータを変調処理して得られる変調信号に基づいたレーザ光照射で露光を行うとともに、上記変調処理に供するマスターデータにおける上記被差し替えデータを上記差し替えデータに差し替える処理を実行させる制御を、上記制御部に実行させる。
このプログラムにより露光装置での露光段階で、被差し替えデータを差し替えデータに差し替えることが可能となる。
【００１４】
本発明の記録媒体は、差し替えデータは、記録媒体をグループ単位で識別するための固有の情報として使用され、ファイルシステムにより管理されたデータ構造を有する記録媒体であって、コンテンツデータと、特定のフォルダ内又はファイル内のデータ位置に配置された上記差し替えデータとが記録され、上記差し替えデータは、上記データ構造における、当該記録媒体の製造時において被差し替え用データが配置された上記データ位置に記録されている。
この記録媒体では、例えばグループ単位の固有情報が、差し替えデータとして付加されたものであり、大量生産品として同一のタイトルの記録媒体であっても、グループ毎の情報が通常のデータで付加されているものとできる。つまりグループ毎の情報が、コンテンツデータと同様に、ファイルシステムに基づいて読み出せるデータとして記録されている。
【発明の効果】
【００１５】
本発明の原盤製造方法、記録媒体製造方法によれば、同一コンテンツを収録した再生専用記録媒体について、グループ単位の固有のデータ等を、差し替えデータとして記録させた記録媒体原盤を、オーサリングからやり直すことなく製造できる。つまりマスタリング毎に違う記録内容の原盤を容易に作成することが可能である。
これによって、グループ毎に異なる情報を記録した同一タイトルの記録媒体の製造効率を大きく向上させることができる。
本発明のプログラムによれば、マスターデータにおける被差し替えデータを差し替えデータに差し替える処理を行うプリマスタリング装置や露光装置を実現できる。
また本発明の記録媒体によれば、ＢＣＡ等の特殊な態様ではなく、ファイルシステムで管理される通常の再生専用データでグループ固有情報を記録できる。従って再生互換性、汎用性のあるグループ固有情報を持った再生専用の記録媒体を提供できる。
【図面の簡単な説明】
【００１６】
【図１】本発明の実施の形態のディスク製造の流れの説明図である。
【図２】実施の形態のデータ差し替えの説明図である。
【図３】実施の形態のプリマスタリング装置と露光装置のブロック図である。
【図４】実施の形態のプリマスタリング装置のブロック図である。
【図５】実施の形態の露光装置のブロック図である。
【図６】実施の形態のディスク製造工程のフローチャートである。
【図７】実施の形態のディスク製造工程の説明図である。
【図８】実施の形態のディスク製造工程の説明図である。
【図９】実施の形態のプリマスタリング処理の第１例のフローチャートである。
【図１０】実施の形態の露光処理の第１例のフローチャートである。
【図１１】実施の形態のプリマスタリング処理の第２例のフローチャートである。
【図１２】実施の形態の露光処理の第２例のフローチャートである。
【図１３】実施の形態の差し替えデータを記録するフォルダ例の説明図である。
【図１４】実施の形態の差し替えデータを記録するファイル例の説明図である。
【発明を実施するための形態】
【００１７】
以下、本発明の実施の形態を次の順序で説明する。
＜１．製造工程及びデータ差し替えの概要＞
＜２．プリマスタリング装置及び露光装置＞
＜３．ディスク製造工程＞
＜４．プリマスタリング及び露光処理の第１例＞
＜５．プリマスタリング及び露光処理の第２例＞
＜６．差し替えデータを記録するフォルダ・ファイル＞
＜７．プログラム＞
【００１８】
＜１．製造工程及びデータ差し替えの概要＞
実施の形態では、記録媒体として再生専用型の光ディスク、特にはＢＤ−ＲＯＭ（ブルーレイディスク−ＲＯＭ）を例に挙げて説明する。
ＢＤ（ブルーレイディスク）について簡単に説明しておく。
ＢＤは、ディスクサイズとしては、直径が１２０ｍｍ、ディスク厚は１．２ｍｍとなる。即ちこれらの点では外形的に見ればＣＤ方式のディスクや、ＤＶＤ方式のディスクと同様となる。
そして記録／再生のためのレーザとして、いわゆる青色レーザ（例えば波長λ＝４０５ｎｍ）が用いられ、また光学系が高ＮＡ（例えばＮＡ＝０．８５）とされる。さらには狭トラックピッチ（例えばトラックピッチ＝０．３２μｍ）、高線密度（例えば記録線密度０．１１２μｍ／ｂｉｔ）を実現する。これらにより、直径１２ｃｍのディスクにおいて、ユーザーデータ容量として１層で２５ＧＢ（Giga Byte）程度を実現している。
また更なる高密度記録により、２７ＧＢ程度の容量も可能とされる。
また、記録層が複数層とされたいわゆるマルチレイヤーディスクも開発されており、マルチレイヤーディスクの場合、ユーザーデータ容量は、ほぼ層数倍となる。
【００１９】
まず、このようなＢＤの一種である、ＢＤ−ＲＯＭの製造において、記録するコンテンツを作成するオーサリングシステムを用いた、光ディスクの製造までの流れを図１で簡単に説明する。
【００２０】
まず素材製作として、映像素材の撮影、音声素材の録音、編集等が行われる（Ｓ１）。
この撮影・編集等で得られたデータは、制作するコンテンツの素材データ（映像素材、音声素材、字幕データ等）として格納される（Ｓ２）。
【００２１】
各種素材データは、オーサリングスタジオに持ち込まれ、ディスクデータ（コンテンツ）制作に供される。
オーサリングスタジオでは、オーサリング処理のためのプログラムをインストールしたパーソナルコンピュータや所要のハードウエアを用いて、各種素材データを利用したコンテンツ制作を行う。
映像素材、音声素材はビデオエンコード、オーディオエンコードの各処理により、それぞれ所定の形式に圧縮符号化される。また字幕データ等から、メニューデータ、字幕データ等が作成される（Ｓ３）。次にコンテンツの構成としてのシナリオやメニュー作成が行われる（Ｓ４）。また各種データ編集が行われる（Ｓ５）。
【００２２】
その後、コンテンツ／ファイルシステム生成（Ｓ６）として、コンテンツを構成するストリームデータを形成し、またコンテンツデータを管理するファイルシステムを生成する。
コンテンツデータの生成としては、符号化された映像データや音声データ、メニュ−などを多重化する。この場合、例えばハードディスク内等に格納された画像、音声、字幕などの符号化された素材データをインターリーブし、各種フォーマットファイルと合わせて多重化されたデータを作成する多重化処理が行われる。最終的に作成された多重化データがコンテンツデータとなる。
このようにコンテンツデータを生成するとともに、コンテンツデータ及びその他の各種データを管理するファイルシステムを形成して、ディスクに記録するデータ群を用意する。
最終的にファイルシステムで管理されるコンテンツデータ等を備えたデータ構造のマスターデータ（ディスク製造用のカッティングマスタ）が形成される（Ｓ７）。
カッティングマスタは、例えばパーソナルコンピュータ内のハードディスク等に格納される。
そのカッティングマスタは、ディスク製造のために工場に送られることになる。
【００２３】
ディスク製造工場では、プリマスタリング（Ｓ８）として、データの暗号化や署名データの付加を行った状態のマスターデータ（露光用のマスタリングデータ）を生成する。
なお、以下では区別のため、プリマスタリングで処理する段階のマスターデータを「カッティングマスタ」、プリマスタリング処理されたマスターデータを「マスタリングデータ」と呼ぶ。
【００２４】
プリマスタリング処理を終えたマスタリングデータは、マスタリング工程（Ｓ９）に供される。マスタリング工程では、露光、現像によりディスク原盤を製造し、またディスク原盤を用いてスタンパを作成する。
まず露光として、ディスク原盤に対して、マスタリングデータを変調した信号に基づいたレーザ照射を行う。そして現像処理で、露光部分と非露光部分が凹凸パターン（ピット列）とされたディスク原盤を完成させる。その後、ディスク原盤の凹凸パターンが転写されたスタンパを作成する。
【００２５】
最後にリプリケーション（Ｓ１０）として、スタンパを用いたディスク基板の制作や、ディスク基板上への所定の層構造形成を行い、完成品として光ディスク（ＢＤ−ＲＯＭ）を得る。
【００２６】
このようなディスク製造の流れにおいて、本実施の形態では、同一のコンテンツデータを記録した同一タイトルの光ディスクでありながら、グループ単位で異なる固有の情報を付加した光ディスクを製造する手法を提供する。
ここでいう「グループ」とは、或る程度まとまった数のディスク群であり、先に述べたように、例えば販売仕向地別のグループ、販売者毎のグループ、製造ライン毎のグループ、用途別のグループなどである。
例えば製造した光ディスクを、複数の販売者に納品する場合に、各販売者のそれぞれに納品する光ディスクは、同じコンテンツデータを収録した光ディスクでありながら、各販売者毎に固有の情報が付加されているものとなるようにする。
【００２７】
図２で模式的に説明する。
図２（ａ）に示すように、カッティングマスタは共通コンテンツデータと、差し替えエリアがファイルシステムによって管理されているデータ構造を備える。
「共通コンテンツ」とは、グループの別に限らず同一の内容のコンテンツデータという意味である。
「差し替えエリア」とは、カッティングマスタ上で被差し替えデータが配されている部分を示している。必ずしも物理的に連続した領域でなくても良いが、あくまで被差し替えデータが記録されているとしてファイルシステムで管理されているデータ位置を示すものである。
上述のオーサリング工程で製作されるカッティングマスタは、このようなデータ構造のデータとされる。従来のカッティングマスタでは、差し替えエリアが存在しないが、本実施の形態の場合、差し替えエリアとして被差し替えデータが配置されたデータ位置が存在し、かつ、そのデータ位置が、ファイルシステムによって管理される。なお、被差し替えデータとは、具体的にはダミーデータなどであればよい。
【００２８】
このようなカッティングマスタが供給されるプリマスタリング工程では、各グループ毎に固有のデータとして、図２（ｂ）に示すグループデータＧＰＤ（ＧＰＤ１，ＧＰＤ２，ＧＰＤ３・・・）を用意する。
グループデータＧＰＤとしては、テキストデータ、グループＩＤ等のコードデータ、制御データ、画像データその他、グループデータを付加する目的に応じて各種のデータが考えられる。
【００２９】
例えばグループＧＰ１として、特定の販売者に提供する光ディスクの製造を行う場合、プリマスタリング段階、もしくは露光段階で、差し替えエリアに配置された被差し替えデータを、グループデータＧＰＤ１に置き換える。グループデータＧＰＤ１に置き換えられた状態のマスタリングデータに基づいてディスク原盤のマスタリング（露光、現像）を行い、さらに該ディスク原盤からスタンパを作成する。
そのスタンパを用いて大量生産された多数の光ディスクは、図２（ｃ）のグループＧＰ１の光ディスクとなる。これは、共通コンテンツとグループデータＧＰＤ１がファイルシステムによって管理されたデータ構造を有するものとなっている。つまり通常に再生装置に装填した際には、コンテンツデータとグループデータＧＰＤ１の双方が、ファイルシステムに基づいて読み出せる状態である。
【００３０】
またグループＧＰ２として、他の特定の販売者に提供する光ディスクの製造を行う場合、プリマスタリング段階、もしくは露光段階で、差し替えエリアに配置された被差し替えデータを、グループデータＧＰＤ２に置き換える。グループデータＧＰＤ２に置き換えられた状態のマスタリングデータに基づいてディスク原盤のマスタリング（露光、現像）を行い、さらに該ディスク原盤からスタンパを作成する。
そのスタンパを用いて大量生産された多数の光ディスクは、図２（ｄ）のグループＧＰ２の光ディスクとなる。つまり共通コンテンツとグループデータＧＰＤ２がファイルシステムによって管理されたデータ構造を有し、再生装置に装填した際には、コンテンツデータとグループデータＧＰＤ２の双方がファイルシステムに基づいて読み出せる。
【００３１】
またグループＧＰ３として、さらに他の特定の販売者に提供する光ディスクの製造を行う場合、プリマスタリング段階、もしくは露光段階で、差し替えエリアに配置された被差し替えデータを、グループデータＧＰＤ３に置き換える。そしてディスク原盤のマスタリング（露光、現像）を行い、さらに該ディスク原盤からスタンパを作成する。
そのスタンパを用いて大量生産された多数の光ディスクは、図２（ｅ）のグループＧＰ３の光ディスクとなる。つまり共通コンテンツとグループデータＧＰＤ３がファイルシステムによって管理されたデータ構造を有し、再生装置に装填した際には、コンテンツデータとグループデータＧＰＤ３の双方がファイルシステムに基づいて読み出せる。
【００３２】
従来は、光ディスク製造において、その内容の一部をマスタリング毎に違う内容にするには、マスターデータの作成、つまりオーサリングからやり直す必要があった。
ここでファイルシステムを持つＢＤやＤＶＤ等の光ディスクでは、差し替えエリアを設定してファイルシステムの管理下に置く。すると、カッティング（露光）を行う都度その差し替えエリアのデータ内容を入れ替えることが可能となる。これにより、マスタリング毎に違う記録内容のディスク原盤、つまりグループ毎に異なるグループデータＧＰＤを記録したディスク原盤を容易に作成できる。しかも、ファイルシステムで管理される通常のデータであるため、製造される光ディスクは、物理的・論理的にも通常の光ディスクと全く同じであるので、再生互換性等の心配がない。
グループデータＧＰＤはファイルデータとすることで、光ディスクから容易に読み出すことが可能である。
【００３３】
＜２．プリマスタリング装置及び露光装置＞
実施の形態の製造方法に用いられるプリマスタリング装置及び露光装置（カッティング装置）について説明する。
図３は、プリマスタリング装置１０と露光装置２０を示している。
プリマスタリング装置１０には、オーサリングで作成されたカッティングマスタが供給される。
プリマスタリング装置１０は、カッティングマスタに対して所定の暗号化処理や署名データ付加等を行って露光用のマスターデータ（マスタリングデータＭＳＤ）を生成し、露光装置２０に供給する。また、グループデータＧＰＤ（ＧＰＤ１，ＧＰＤ２，ＧＰＤ３・・・）を生成し、そのグループデータＧＰＤや、差し替えエリアを示すエリア情報ＡＲＩＦＯ等を露光装置２０に供給する。
【００３４】
なお、グループデータＧＰＤやエリア情報ＡＲＩＦＯ等を露光装置２０に供給するのは、後述する第１例としてのプリマスタリング処理及び露光処理を採用する場合である。第１例は露光装置２０側でデータ差し替えを行うためである。
第２例ではプリマスタリング装置１０側でデータ差し替えを行う例であるため、既に差し替えがなされたマスタリングデータＭＳＤを露光装置２０に供給することになる。
【００３５】
露光装置２０では、マスタリングデータＭＳＤに基づいてディスク原盤にレーザ照射を行い、マスタリングデータＭＳＤに応じた露光パターンを形成する。その露光パターンが現像処理で凹凸パターンとされディスク原盤１００が製造される
【００３６】
図４にプリマスタリング装置１０の構成例のブロック図を示す。
プリマスタリング装置１０は、例えば専用のプリマスタリング処理演算を行う装置だけでなく、汎用のコンピュータ装置などでも実現可能である。
プリマスタリング装置１０は、記憶部３１、演算部３２、データ入出力部３３、ユーザインターフェース部３４を備える。もちろんこれ以外の構成要素があってもよい。
【００３７】
データ入出力部３３は、他の装置との間のデータの送受信を行う。例えばオーサリングで作成されたカッティングマスタは、オーサリングシステムとの通信、或いはカッティングデータを記録した記録メディアの再生装置との通信等により、データ入出力部３３から入力される。
またプリマスタリング装置で処理されたマスタリングデータＭＳＤは、データ入出力部３３から露光装置２０に送信される。
【００３８】
記憶部３１は、固体メモリ、ハードディスク等で形成される記憶領域を有し、入力されたカッティングマスタの格納、プリマスタリング処理過程のデータ、マスタリングデータＭＳＤの格納、グループデータＧＰＤの格納などに用いられる。
演算部３２は、カッティングマスタに対するプリマスタリング処理として、暗号化や署名データの設定等の処理を行う。さらに本例の場合、演算部３２は、カッティングマスタのファイルシステムの解析、差し替えエリアの確認、グループデータＧＰＤの設定などの処理も行う。
ユーザインターフェース部３４は、プリマスタリング処理のオペレータとのインターフェースであり、キーボード、マウス等の入力装置やモニタディスプレイ等の出力装置を備える。
【００３９】
このプリマスタリング装置１０では、ユーザインターフェース部３４からのオペレータの指示に基づいて、演算部３２がプリマスタリング処理としての各種演算を実行する。そして生成したマスタリングデータＭＳＤやグループデータＧＰＤ等を記憶部３１に格納し、所定のタイミングで露光装置２０に対して送信する。
【００４０】
続いて図５で露光装置２０の構成例を説明する。
露光装置２０は、コントローラ４０、レーザドライバ４１、レーザ駆動パルス発生部４２、変調部４３、スピンドルモータ４４、スライダ４５、露光ヘッド４６、スピンドルサーボ／ドライバ４７、スライドドライバ４８、センサ４９、ターンテーブル５０を備える。また露光装置２０は、記憶部５１、書込／読出制御部５２を備える。
【００４１】
記憶部５１には、プリマスタリング装置１０から供給されたマスタリングデータＭＳＤを格納するマスタリングデータ記憶部５１ｂが用意される。
また、後述する第１例としての処理を採用する場合は、記憶部５１には、プリマスタリング装置１０から供給されたグループデータＧＰＤを格納するグループデータテーブル記憶部５１ａとしての領域も用意される。
また、後述する第１例としての処理を採用する場合は、プリマスタリング装置１０からのエリア情報ＡＲＩＦＯはコントローラ４０に供給される。コントローラ４０は、エリア情報ＡＲＩＦＯを受け取ることにより、マスタリングデータとしてのデータストリーム内で、被差し替えデータが配置されている領域（データ位置）を把握することができる。
なお、後述する第２例としての処理を採用する場合は、記憶部５１では、マスタリングデータ記憶部５１ｂでマスタリングデータＭＳＤを記憶すればよく、グループデータテーブル記憶部５１ａとしての領域は必要ない。但しその場合、マスタリングデータ記憶部５１ｂでは、グループ毎に異なる複数のマスタリングデータを記憶する場合がある。
【００４２】
書込／読出制御部５２は、記憶部５１へのデータの書き込み、及び読み出しを実行する。即ち書込／読出制御部５２は、プリマスタリング装置１０から供給されるマスタリングデータＭＳＤやグループデータＧＰＤ等の記憶部５１への書込を実行する。また書込／読出制御部５２は、原盤露光の際には、コントローラ４０の指示に応じて、記憶部５１からマスタリングデータＭＳＤやグループデータＧＰＤの読み出しを行い、変調部４３に供給する。
【００４３】
露光ヘッド４６内には、露光用のレーザ光源及び必要な光学系が搭載される。レーザ光源は、レーザドライバ４１からの駆動信号に基づいて発光を行う。
【００４４】
変調部４３は、書込／読出制御部５２によって記憶部５１から読み出されたマスタリングデータＭＳＤやグループデータＧＰＤについて、所定の変調処理を施した変調信号を出力する。ピット列を露光するＲＯＭディスクのカッティングを行う場合は、レーザ光源のＯＮ／ＯＦＦの変調動作を行うための変調信号を生成することになる。
例えば変調部４３は、光ディスクに記録するデータ、即ちコンテンツデータ、ファイルシステム自体のデータ、グループデータＧＰＤ等を含むデータストリームについてのＲＬＬ（１−７）変調信号を出力する。
その変調信号はレーザ駆動パルス発生部４２でレーザ駆動パルスに変換される。
【００４５】
レーザ駆動パルス発生部４２は、レーザ駆動パルスをレーザドライバ４１に供給する。
レーザドライバ４１は、レーザ駆動パルスに基づいて、露光ヘッド４６内の露光用のレーザ光源に駆動信号を供給する。
これにより露光用のレーザ光源からの記録レーザ光は、ピット列に応じた変調光となり、ディスク原盤１００にはピット列に相当する露光パターンが形成されることになる。
【００４６】
ディスク原盤１００は、ターンテーブル５０に載置され、スピンドルモータ４４によって回転駆動される。
スピンドルモータ４４は、スピンドルサーボ／ドライバ４７によって回転速度が制御されながら回転駆動される。これによってディスク原盤１００は例えば一定線速度又は一定角速度で回転される。
スライダ４５は、スライドドライバ４８によって駆動され、ディスク原盤１００が積載されたターンテーブル５０及びスピンドル機構を含む基台全体を移動させる。即ち、スピンドルモータ４４で回転されている状態のディスク原盤１００は、スライダ４５で半径方向に移動されながら露光ヘッド４６からのレーザ光によって露光されていくことで、露光されるピット列によるトラックがスパイラル状に形成されていくことになる。
スライダ４５による移動位置、即ちディスク原盤１００の露光位置（ディスク半径位置：スライダ半径位置）はセンサ４９によって検出される。センサ４９による位置検出情報はコントローラ４０に供給される。
【００４７】
コントローラ４０は、この露光装置２０の全体を制御する。即ち、書込／読出制御部５２によるマスタリングデータＭＳＤやグループデータＧＰＤ等の読み出し、レーザ駆動パルス発生部４２でのパルス生成パラメータの制御、レーザドライバ４１に対してのレーザパワー設定、スピンドルサーボ／ドライバ４７によるスピンドル回転動作制御、スライドドライバ４８によるスライダ４５の移動動作の制御等を行う。
【００４８】
＜３．ディスク製造工程＞
図１で説明したディスク製造工場で実行されるディスク製造工程、即ちプリマスタリング（Ｓ８）、マスタリング（Ｓ９）、リプリケーション（Ｓ１０）を図６に詳しく示し、図７，図８を参照しながら説明していく。
【００４９】
まず図６のステップＦ１００として、プリマスタリングが行われる。上述のようにプリマスタリング装置１０が、カッティングマスタに対してプリマスタリング処理を行う。詳しくはプリマスタリング処理の第１例、第２例として後述する。
【００５０】
このステップＦ１００のプリマスタリング処理後、マスタリングデータＭＳＤが露光装置２０に転送される。そしてステップＦ１０１〜Ｆ１０３としてマスタリング（Ｓ９）が行われる。まずステップＦ１０１で、露光装置２０で原盤に対する露光が行われる。
例えば図７（ａ）に示すように、無機レジスト等のレジストが塗布されたディスク原盤１００に対して、露光ヘッド４６からマスタリングデータＭＳＤに応じて変調されたレーザ光を照射し、ピットパターンに応じた露光を行う。これにより図７（ｂ）に示すように、露光部分Ｒが形成される。
なお露光処理の詳細についても第１例、第２例として後述する。
【００５１】
次にステップＦ１０２として原盤形成が行われる。
例えば図７（ｂ）に示した露光されたディスク原盤１００に対して現像を行い、図７（ｃ）のように露光部分が凹状となったディスク原盤１００を作製する。凹部が完成後の光ディスクにおけるピットに相当することとなる。
次にステップＦ１０３でスタンパを作成する。
例えばディスク原盤１００を用いたニッケル電鋳処理により、ディスク原盤１００の凹凸が転写されたスタンパ１０１を作製する（図７（ｄ））。スタンパ１０１の凹凸パターンではピット相当部分が凸形状となっている。
【００５２】
続いてステップＦ１０４，Ｆ１０５，Ｆ１０６でスタンパ１０１を用いたディスク製造（リプリケーションＳ１０）が行われる。
まずステップＦ１０４でスタンパ１０１を用いたディスク基板製造を行う。
図８（ａ）のようにスタンパ１０１を基板成形用の金型に配置させる。この金型は、下キャビティ１２０と上キャビティ１２１から成り、下キャビティ１２０に、ピット列を転写するためのスタンパ１０１が配置される。
【００５３】
このような金型を用いて例えばポリカーボネート樹脂の射出成形で基板１を成形するが、成形される基板１は図８（ｂ）のようになる。
即ちポリカーボネート樹脂による基板１は、その中心はセンターホール２とされるとともに、情報読出面側は、金型内のスタンパ１０１に形成された凹凸パターン１０１ａが転写されたピットパターン３となる。
【００５４】
続いてステップＦ１０５で、このように形成された基板１に対して成膜が行われる。
まずスパッタにより、スタンパ１０１から転写されたピットパターン上に、反射膜４の成膜が行われる。即ち図８（ｃ）に示すように、ピットパターン３が形成された信号読出面側に例えばＡｇ合金の反射膜４を形成する。
さらに、例えば紫外線硬化型樹脂のスピンコートにより、図８（ｄ）のようにカバー層５を形成する。
なお、カバー層５の表面にさらにハードコート処理を施す場合もある。
また、ここでは記録層が１つの１層ディスクの場合を示しているが、２層以上の多層の場合は、さらに各記録層の形成工程が加わる。
【００５５】
以上のように成膜工程を経たら、その後ステップＦ１０６でレーベル面側の印刷を行い、光ディスクが完成される。
以上の工程で、光ディスクが形成される。特にステップＦ１０４以降は、大量生産工程となる。
本実施の形態の場合、ステップＦ１００のプリマスタリング処理、及びステップＦ１０１の露光処理が、以下で説明する第１例又は第２例のようにされることで、上記のように製造された再生専用型の光ディスクには、図２（ｃ）（ｄ）（ｅ）に示したように、グループデータＧＰＤが記録されている状態となっている。
即ち上記の工程で製造された光ディスクは、ファイルシステムにより、再生専用のコンテンツデータと、特定のフォルダ内又はファイル内のデータ位置に配置される被差し替えデータとが管理されるデータ構造を有し、被差し替えデータが再生専用の差し替えデータ（グループデータＧＰＤ）に差し替えられて記録されている。
【００５６】
＜４．プリマスタリング及び露光処理の第１例＞
図９，図１０でプリマスタリング処理及び露光処理の第１例を説明する。
第１例の場合、図６のステップＦ１００のプリマスタリング処理として図９の処理が行われる。この図９はプリマスタリング装置１０の演算部３２がプログラムに基づいて実行する処理となる。
【００５７】
演算部３２は、ステップＦ２０１としてカッティングマスタにおけるファイルシステムの解析を行う。即ちオーサリングを経て供給され、記憶部３１に取り込んだカッティングマスタにおいて、ファイルシステムを確認し、データ構造、内容を把握する。
そして演算部３２はステップＦ２０２でマスタリングデータＭＳＤを生成する。この場合、カッティングマスタの所定のデータの暗号化処理や署名データの付加などの処理を行ってマスタリングデータＭＳＤを生成する。マスタリングデータＭＳＤは記憶部３１に格納する。
【００５８】
次に演算部３２は、ステップＦ２０３で、先に解析したファイルシステムから差し替えエリアを確認する。図２（ａ）で述べたように、カッティングマスタは、ファイルシステムによって差し替えエリアが管理される状態に、オーサリング段階で形成されている。
演算部３２は、差し替えエリアのデータ位置や差し替えデータサイズを確認することになる。
次に演算部３２は、ステップＦ２０４でグループデータテーブルを生成して用意する。
グループデータテーブルは、各グループＧＰ１，ＧＰ２・・・毎に、グループデータＧＰＤ１，ＧＰＤ２・・・を設定したテーブルである。このようなグループデータテーブルを用意し、記憶部５１に格納する。
具体的な各グループデータＧＰＤの内容は、オペレータの入力に基づいて生成しても良いし、予め各種のグループデータ内容を記憶部５１等に格納しておき、今回製造する光ディスクにおいて必要なグループに対応する各グループデータＧＰＤを、オペレータの入力等に基づいて選択するものでもよい。
【００５９】
以上の処理を終えたら、演算部３２は、ステップＦ２０５で、記憶部５１に格納されたマスタリングデータＭＳＤ、グループデータテーブルを、露光装置２に出力する。さらに演算部３２は、ステップＦ２０３で確認した差し替えエリアの情報（マスタリングデータＭＳＤのデータストリーム上での差し替えエリアの位置等）をエリア情報ＡＲＩＦＯとして露光装置２０に供給する。
図５で説明したように、マスタリングデータＭＳＤ及びグループデータテーブルは、露光装置２０において記憶部５１（マスタリングデータ記憶部５１ｂ、グループデータテーブル記憶部５１ａ）に格納される。またエリア情報ＡＲＩＦＯはコントローラ４０に供給される。
【００６０】
その後、露光装置２０側で図６のステップＦ１０１の露光処理が行われる。図１０に露光装置２０で実行する露光処理を示している。この図１０は露光装置２０のコントローラ４０がプログラムに基づいて実行する処理である。
まずステップＦ２５１でコントローラ４０はグループ設定を行う。これは、これから実行するマスタリングで、どのグループのディスク原盤を作成するかを設定する処理である。実際には、オペレータの入力に応じてグループ選択を行えばよい。オペレータの入力は露光装置２０において図５に示していないユーザインターフェース部から行う。或いはプリマスタリング装置１０と露光装置２０がシステム接続されていれば、プリマスタリング装置１０のユーザインターフェース部３４から露光装置２０への指示入力を行うことを可能とすることもできる。
【００６１】
コントローラ４０は、このステップＦ２５１で特定のグループを選択設定し、グループデータテーブルのうちで、今回使用するグループデータを決定することとなる。例えば今回、グループＧＰ１の光ディスクの製造のためのマスタリングを行うのであれば、グループＧＰ１を選択し、グループデータテーブルにおいてグループＧＰ１に対応づけられたグループデータＧＰＤ１を、使用するグループデータとする。
【００６２】
続いてコントローラ４０はステップＦ２５２で露光開始制御を行う。
コントローラ４０は書込／読出制御部５２にマスタリングデータＭＳＤの読み出しを指示し、さらに変調部４１、レーザ駆動パルス発生部４２、レーザドライバ４１、露光ヘッド４６の動作を開始させる。またスピンドルサーボ／ドライバ４７、スライドドライバ４８に指示し、ディスク原盤の回転駆動を実行させる。
これにより、マスタリングデータＭＳＤに基づいたディスク原盤１００に対する露光が開始される。
【００６３】
露光開始後は、コントローラ４０はステップＦ２５３で、マスタリングデータＭＳＤのデータ位置が差し替えエリアに達したか否かを監視している。例えば現在変調部４３に転送しているマスタリングデータＭＳＤのデータ位置（マスタリングデータＭＳＤのデータストリーム上のアドレス）が、エリア情報ＡＲＩＦＯから把握される差し替えエリアのデータ位置に達したかを、書込／読出制御部５２との通信により監視する。
【００６４】
そして差し替えエリアに到達するタイミングで、コントローラ４０はステップＦ２５３からＦ２５４に進み、書込／読出制御部５２にグループデータの読み出しを指示する。即ちステップＦ２５１で決定した、例えばグループデータＧＰＤ１を記憶部５１から読み出させ、変調部４３に転送させる。
結果としてこのステップＦ２５４の時点から、グループデータＧＰＤが変調され、変調信号に基づいたレーザ露光が行われることとなる。
【００６５】
コントローラ４０はステップＦ２５５でグループデータＧＰＤの読み出し及び変調部４３への転送の完了タイミングを監視している。そして読出完了のタイミングで、ステップＦ２５６に進み、マスタリングデータＭＳＤによる露光を再開させる。即ち書込／読出制御部５２に対して、マスタリングデータＭＳＤの読み出し及び変調部４３への転送を指示する。この場合、マスタリングデータＭＳＤにおける被差し替えデータに続くデータからが、変調部４３に転送されていくこととなる。
【００６６】
即ちステップＦ２５３〜Ｆ２５６の処理は、マスタリングデータＭＳＤのストリームデータを記憶部５１から読み出して変調部４３に転送させているときに、マスタリングデータＭＳＤにおける被差し替えデータが転送されることとなる期間に、グループデータを読み出させて変調部４３に転送させる。これにより、変調部４３からみれば、被差し替えデータがグループデータＧＰＤに差し替えられたマスタリングデータが供給されるものとなる。従って、一連のマスタリングデータストリームに基づく露光過程で、マスタリングデータＭＳＤ内の被差し替えデータ部分が、グループデータＧＰＤに差し替えられた状態のピット列の露光が行われることとなる。
【００６７】
コントローラ４０はその後ステップＦ２５７でマスタリングデータＭＳＤの露光完了を監視し、露光完了タイミングでステップＦ２５８で各部による露光動作を終了させる。
なお、この図１０の例は、差し替えエリアがマスタリングデータＭＳＤのストリーム上で連続した１つのデータ位置範囲の場合と仮定している。もし、差し替えエリアが、ストリーム上で離れた位置に複数存在する場合は、ステップＦ２５３〜Ｆ２５６の処理が複数開行われるようにすればよい。
【００６８】
露光処理が以上のように実行され、その後、図６のステップＦ１０２，Ｆ１０３が行われる。ステップＦ１０２で作成されるディスク原盤、及びステップＦ１０３で作成されるスタンパは、マスタリングデータＭＳＤにおける被差し替えデータが、例えばグループデータＧＰＤ１に差し替えられた状態のピット列が形成されていることとなる。
その後、図６のステップＦ１０４〜Ｆ１０６で光ディスクが製造されるが、当然その光ディスクは、グループデータＧＰＤ１が記録された図２（ｃ）のようなデータ構造の光ディスクとなる。即ちファイルシステムにより、再生専用のコンテンツデータと、グループデータＧＰＤ１が管理される光ディスクである。
【００６９】
以上の第１例の製造方法によれば、同一コンテンツを収録した再生専用ディスクについて、グループ毎に固有のグループデータＧＰＤを記録させたディスク原盤１００を、プリマスタリングやオーサリングをやり直すことなく製造できる。
例えばグループＧＰ１の光ディスクを生産する場合、上記図１０のステップＦ２５１でグループデータＧＰＤ１を選択して１つのディスク原盤１００を作成する。すると、そのディスク原盤１００を元にして、グループＧＰ１の光ディスクを大量生産できる。
またグループＧＰ２の光ディスクを生産する場合、上記図１０のステップＦ２５１でグループデータＧＰＤ２を選択して１つのディスク原盤１００を作成する。すると、そのディスク原盤１００を元にして、グループＧＰ２の光ディスクを大量生産できる。
このように、各グループとしてのディスク製造工程は、グループ毎にマスタリング以降を行えばよい。従って、オーサリングによるマスターデータ生成や、プリマスタリング処理をやり直す必要はなく、多数のグループの光ディスクを製造する場合の製造効率は著しく向上する。
即ち、グループ毎に異なる情報を記録した同一タイトルの記録媒体の製造効率を大きく向上させることができる。
【００７０】
またグループ毎に個別にマスタリングデータを作成する訳ではないため、マスタリングデータを格納するための記憶容量（例えばプリマスタリング装置１０の記憶部３１の記憶容量）の負担も少ない。特にＢＤの場合、マスタリングデータは大容量データであることから、グループ毎にマスタリングデータを格納しなくてもよいことは有用である。
【００７１】
また製造されるディスクは、ＢＣＡ等の特殊な態様ではなく、ファイルシステムで管理される通常の再生専用データでグループデータＧＰＤが記録されている。従って再生互換性、汎用性のあるグループ固有情報を持った再生専用ディスクを提供できる。
【００７２】
＜５．プリマスタリング及び露光処理の第２例＞
図１１，図１２でプリマスタリング処理及び露光処理の第２例を説明する。
第２例の場合、図６のステップＦ１００のプリマスタリング処理として図１１の処理が行われる。この図１１はプリマスタリング装置１０の演算部３２がプログラムに基づいて実行する処理となる。
【００７３】
演算部３２は、ステップＦ３０１としてカッティングマスタにおけるファイルシステムの解析を行う。即ちオーサリングを経て供給され、記憶部３１に取り込んだカッティングマスタにおいて、ファイルシステムを確認し、データ構造、内容を把握する。
そして演算部３２はステップＦ３０２で、ファイルシステムから差し替えエリアを確認する。即ち差し替えエリアのデータ位置や差し替えデータサイズを確認する。
【００７４】
次に演算部３２は、ステップＦ３０３で各グループに対応するグループデータを生成して用意する。即ち各グループＧＰ１，ＧＰ２・・・毎に、グループデータＧＰＤ１，ＧＰＤ２・・・を設定し、記憶部５１に格納する。
【００７５】
以降、各グループ毎のマスタリングデータＭＳＤを生成していく。
まずステップＦ３０４で演算部３２は変数ｎ＝１とし、ステップＦ３０５でグループＧＰ（ｎ）用のマスタリングデータＭＳＤを生成する。従ってまずグループＧＰ１用のマスタリングデータＭＳＤ１を生成することとなる。このマスタリングデータＭＳＤ１は、カッティングマスタの所定のデータの暗号化処理や署名データの付加などの処理を行うとともに、ファイルシステムで管理されている差し替えエリアのデータをグループデータＧＰＤ１に置き換えたものとされる。
グループＧＰ１用のマスタリングデータＭＳＤ１を生成したら、演算部３２はステップＦ３０６で、そのマスタリングデータＭＳＤ１を記憶部３１に格納する。
【００７６】
ステップＦ３０７でｎ≧グループ数でない場合、つまりまだ全てのグループに対応したマスタリングデータＭＳＤを生成していない段階では、ステップＦ３０８で変数ｎをインクリメントしながらステップＦ３０５，Ｆ３０６の処理を繰り返す。
従って、以上の処理で引き続きグループＧＰ２，ＧＰ３・・・用のマスタリングデータＭＳＤ２，ＭＳＤ３・・・が生成され、記憶部３１に格納されていくこととなる。
ステップＦ３０７でｎ≧グループ数となったら、全てのグループに対応するマスタリングデータＭＳＤ１〜ＭＳＤ（ｎ）が生成されたとしてプリマスタリング処理を終了する。
【００７７】
プリマスタリング装置１０では、以上のようにプリマスタリング処理が行われる。即ちグループ毎に、それぞれ異なるグループデータＧＰＤが配置されたマスタリングデータＭＳＤが生成される。
【００７８】
その後、露光装置２０側で図６のステップＦ１０１の露光処理が行われる。図１２に露光装置２０で実行する露光処理を示している。この図１２は露光装置２０のコントローラ４０がプログラムに基づいて実行する処理である。
まずステップＦ３５１でコントローラ４０はグループ設定を行う。即ち、これから実行するマスタリングで、どのグループのディスク原盤か作成するかを設定する。
【００７９】
コントローラ４０は、このステップＦ３５１では、特定のグループを選択設定したら、プリマスタリング装置１０に対して、当該選択したグループに応じたマスタリングデータＭＳＤを要求する。プリマスタリング装置１０は、要求に応じたマスタリングデータＭＳＤを露光装置２０に送信する。
露光装置２０はステップＦ３５２で、送信されてきたマスタリングデータＭＳＤを記憶部５１マスタリングデータ記憶部５１ｂに記憶する。
例えばグループＧＰ１用のディスク原盤１００を作成する場合、コントローラ４０はプリマスタリング装置１０にグループＧＰ１についてのマスタリングデータＭＳＤ１を要求する。そしてそれに応じて転送されてきたマスタリングデータＭＳＤ１を記憶部５１に格納することとなる。
なお、この第２例としての処理の場合、プリマスタリング装置１０から露光装置２０に対してグループデータＧＰＤや差し替えエリアのエリア情報ＡＲＩＦＯ等の供給は不要である。露光装置２０に供給されるマスタリングデータＭＳＤは、既に被差し替えデータ（例えばダミーデータ）がグループデータＧＰＤに差し替えられたものだからである。
【００８０】
マスタリングデータＭＳＤを受け取ったら、コントローラ４０はステップＦ３５３で露光開始制御を行う。
コントローラ４０は書込／読出制御部５２にマスタリングデータＭＳＤの読み出しを指示し、さらに変調部４１、レーザ駆動パルス発生部４２、レーザドライバ４１、露光ヘッド４６の動作を開始させる。またスピンドルサーボ／ドライバ４７、スライドドライバ４８に指示し、ディスク原盤の回転駆動を実行させる。
これにより、マスタリングデータＭＳＤに基づいたディスク原盤１００に対する露光が開始される。
【００８１】
露光開始後は、コントローラ４０はステップＦ３５４で、マスタリングデータＭＳＤに基づく露光完了を監視し、露光完了タイミングでステップＦ３５５で各部による露光動作を終了させる。
【００８２】
露光処理が以上のように実行され、その後、図６のステップＦ１０２，Ｆ１０３が行われる。ステップＦ１０２で作成されるディスク原盤、及びステップＦ１０３で作成されるスタンパは、カッティングマスタに加えられていた被差し替えデータが、グループデータＧＰＤに差し替えられた状態のピット列が形成されていることとなる。
その後、図６のステップＦ１０４〜Ｆ１０６で光ディスクが製造されるが、当然その光ディスクは、グループデータＧＰＤが記録された、例えば図２（ｃ）のようなデータ構造の光ディスクとなる。即ちファイルシステムにより、再生専用のコンテンツデータと、グループデータＧＰＤが管理される光ディスクである。
【００８３】
以上の第２例の製造方法によっても、上述の第１例と同じく、同一コンテンツを収録した再生専用ディスクについて、グループ毎に固有のグループデータＧＰＤを記録させたディスク原盤１００を、プリマスタリングやオーサリングをやり直すことなく製造できる。
各グループとしてのディスク製造工程は、グループ毎にマスタリング以降を行えばよいため、オーサリングによるマスターデータ生成や、プリマスタリング処理をやり直す必要はなく、多数のグループの光ディスクを製造する場合の製造効率は著しく向上する。
即ち、グループ毎に異なる情報を記録した同一タイトルの記録媒体の製造効率を大きく向上させることができる。
【００８４】
なお第２例の場合は、プリマスタリング処理で、グループ毎に個別にマスタリングデータを作成するため、例えばプリマスタリング装置１０の記憶部３１に比較的大きな容量が必要になるということはある。
但し、その一方で、露光装置２０側では、通常に受け取ったマスタリングデータＭＳＤに基づく露光を行えば良いため、露光装置２０側の処理負担は発生しない。換言すれば従前の露光装置をそのまま用いて露光工程を実行できるという設備負担上の利点が生ずる。
【００８５】
またこの第２例を採用する場合も、製造されるディスクは、ＢＣＡ等の特殊な態様ではなく、ファイルシステムで管理される通常の再生専用データでグループデータＧＰＤが記録されている。従って再生互換性、汎用性のあるグループ固有情報を持った再生専用ディスクを提供できる。
【００８６】
なお、変形例として、プリマスタリング装置１０で作成した複数のグループに対応した複数のマスタリングデータＭＳＤを、露光装置２０側に全て予め転送しておくようにしても良い。そして露光装置２０側で、原盤作成時に１つのマスタリングデータＭＳＤを選択して露光を行うといった手法も考えられる。
【００８７】
＜６．差し替えデータを記録するフォルダ・ファイル＞
ここで、図２で説明した差し替えエリアの具体例を例示しておく。
カッティングマスタからマスタリングデータＭＳＤ、さらには最終的に生産される光ディスクに引き継がれるデータ構造の例を図１３に示す。図１３はＢＤ方式に準拠したディレクトリ構造である。
【００８８】
ルート（root）下に、BDMVフォルダ、CERTIFICATEフォルダが配置される。さらにGPINFOフォルダ９０が配置される。
BDMVフォルダは、ブルーレイディスクにおけるコンテンツやその管理情報、付加情報を配置するフォルダである。図示のように、BDMVフォルダ内には、“index.bdmv”、“MovieObject.bdmv”、“PLAYLIST”、“CLIPINF”、“STREAM”、“AUXDATA”、“META”、“BDJO”、“JAR”、“BACKUP”という各フォルダ又はファイルが配置される。
例えば“PLAYLIST”内には“00000.mpls”“00001.mpls”“00002.mpls”等のプレイリストファイルが配置される。これは、コンテンツデータの再生を指定するための情報が記録されたファイルである。
“CLIPINF”内には“01000.clpi”“02000.clpi”“03000.clpi”等のクリップ情報ファイルが配置される。これは、ストリームファイルを管理するための管理情報が記録されたファイルである。
“STREAM”内には“01000.m2ts”“02000.m2ts”“03000.m2ts”等のストリームファイルが配置される。これは、ストリームデータが記録されたファイルである。
【００８９】
このようなデータ構造において、例えばルート直下のGPINFOフォルダ９０を、図２（ａ）でいう差し替えエリアとする。
即ち、オーサリングで作成するカッティングマスタの段階では、このGPINFOフォルダ９０内に、GPINFOファイル９１を設け、例えばダミーデータを配置しておく。
【００９０】
上記第１例、第２例として示した露光の際には、このGPINFOファイル９１のデータがグループデータＧＰＤに置き換えられたものとされる。
そして最終生産品である光ディスクは、この図１３のディレクトリ構造をファイルシステムにおいて管理している。従ってファイルシステムに基づいてGPINFOフォルダ９０内のGPINFOファイル９１として、グループデータＧＰＤが読み出されることとなる。
【００９１】
次に図１４は、ファイルの一部が差し替えエリアとされる例を示している。
この図１４は、例えば上記図１３のディレクトリ構造でBDMVフォルダ内に配置される“index.bdmv”ファイルの構造例を示している。
この“index.bdmv”ファイルは、タイプインジケータ、バージョンナンバ、インデックス情報等が記述される。
ここで、例えば１２８ビット（１６バイト）の領域として“GPinfo”領域９１を設定する。この１６バイトの“GPinfo”領域９１を図２（ａ）でいう差し替えエリアとする。
即ち、オーサリングで作成するカッティングマスタの段階では、この“index.bdmv”ファイル内の“GPinfo”領域９１に、差し替えデータとして例えばダミーデータを配置しておく。そして上記第１例、第２例として示した露光の際には、この“GPinfo”領域９１内のデータがグループデータＧＰＤに置き換えられたものとされる。
最終生産品である光ディスクは、図１３のディレクトリ構造をファイルシステムにおいて管理しているため、ファイルシステムに基づいて“index.bdmv”ファイルを読み出せば、“GPinfo”領域９１に記録されたグループデータＧＰＤが読み出されることとなる。
【００９２】
なお、以上の各例はあくまでも一例に過ぎない。ブルーレイディスクのディレクトリ構造に準拠した場合でも、上記例以外のフォルダ又はファイル内に、差し替えエリアを用意し、グループデータＧＰＤを配置することは当然想定される。
また、本発明はＢＤ方式の光ディスク以外にも、ＤＶＤ−ＲＯＭ、ＣＤ−ＲＯＭ等、ファイルシステムを持つ光ディスクに適用できる。従ってＤＶＤ方式でのディレクトリ構造におけるファイルやフォルダ内に差し替えエリアを設定することも当然考えられる。
また、本発明は光ディスクだけでなく、光カードなど他の種の記録媒体であってファイルシステムを持つデータ構造が採用された記録媒体にも適用できる。
【００９３】
＜７．プログラム＞
実施の形態のプログラムは、プリマスタリング装置１０や露光装置２０の処理を実行させるプログラムである。
【００９４】
即ち実施の形態のプログラムの１つは、上記第１例としての図９で示した処理をプリマスタリング装置１０の演算部３２に実行させるプログラムである。
該プログラムは、ディスク原盤１００の製造に用いるマスターデータとして、コンテンツデータと被差し替えデータとがファイルシステムによって管理されたデータ構造のマスターデータ（カッティングマスタ）について、ファイルシステムから被差し替えデータを確認するステップと、被差し替えデータに代える差し替えデータを用意するステップを情報処理装置（演算部３２）に実行させる。
【００９５】
また、実施の形態のプログラムとして、上記第１例の図１０で示した処理を露光装置２０のコントローラ４０に実行させるプログラムがある。
該プログラムは、被差し替えデータが含まれるマスターデータ（マスタリングデータＭＳＤ）と、差し替えデータ（グループデータＧＰＤ）とが供給されて、ディスク原盤１００の露光を行う露光装置２０の制御部（コントローラ４０）の処理を実行させるプログラムである。そしてマスターデータを変調処理して得られる変調信号に基づいたレーザ光照射で露光を行うとともに、その変調処理に供するマスターデータにおける被差し替えデータを差し替えデータに差し替える処理を実行させる制御を、制御部に実行させる。
【００９６】
また、実施の形態のプログラムとして、上記第２例の図１１で示した処理をプリマスタリング装置１０の演算部３２に実行させるプログラムがある。
該プログラムは、ディスク原盤１００の製造に用いるマスターデータとして、コンテンツデータと被差し替えデータとがファイルシステムによって管理されたデータ構造のマスターデータ（カッティングマスタ）について、ファイルシステムから被差し替えデータを確認するステップと、被差し替えデータに代える差し替えデータ（グループデータＧＰＤ）を用意するステップを情報処理装置（演算部３２）に実行させる。さらに、被差し替えデータを差し替えデータに差し替えたマスターデータ（マスタリングデータＭＳＤ）を生成するステップを情報処理装置（演算部３２）に実行させる。
【００９７】
このようなプログラムにより、例えばパーソナルコンピュータを用いたプリマスタリング装置１０の実現が可能となる。また露光装置２０のコントローラ４０の実現が容易となる。
【００９８】
このようなプログラムは、パーソナルコンピュータ等の機器に内蔵されている記録媒体としてのＨＤＤや、ＣＰＵを有するマイクロコンピュータ内のＲＯＭやフラッシュメモリ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ、ブルーレイディスク、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウェアとして提供することができる。
また、プログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【符号の説明】
【００９９】
１  ディスク基板、２  センターホール、３  ピットパターン、４  反射膜、５  カバー層、１０  プリマスタリング装置、２０  露光装置、３１  記憶部、３２  演算部、４０  コントローラ、４３  変調部、４６  露光ヘッド、５１  記憶部、５２  書込／読出制御部、１００  ディスク原盤、１０１  スタンパ
【図１】
0005623878.tif 000002
【図２】
0005623878.tif 000003
【図３】
0005623878.tif 000004
【図４】
0005623878.tif 000005
【図５】
0005623878.tif 000006
【図６】
0005623878.tif 000007
【図７】
0005623878.tif 000008
【図８】
0005623878.tif 000009
【図９】
0005623878.tif 000010
【図１０】
0005623878.tif 000011
【図１１】
0005623878.tif 000012
【図１２】
0005623878.tif 000013
【図１３】
0005623878.tif 000014
【図１４】
0005623878.tif 000015